(57)【要約】【課題】がたつき防止がなされしかも開閉もスムーズになし得る引戸建具を提供する。【解決手段】軸１と、軸１に回転可能に装着されたローラ２と、軸下端部１ａを支持する下部軸受部３ａを有する下部部材３と、軸上端部１ｂを支持する上部軸受部４ａを有するカバー部材４と、を備えてなるたつき防止機構Ｋを有する引戸建具Ｔで、ローラ２は適度の弾力性を有する合成樹脂製とされ、またその上部が円錐台状とされてなるものである。【選択図】  図１
2005060937.tif 000002
【特許請求の範囲】
【請求項１】
上端部に鴨居の溝側面と接触するローラを有するがたつき防止機構を備えてなることを特徴とする引戸建具。
【請求項２】
がたつき防止機構は、軸と、軸に回転可能に装着されたローラと、軸下端部を支持する下部軸受部を有する下部部材と、軸上端部を支持する上部軸受部を有するカバー部材と、を備えてなることを特徴とする請求項１記載の引戸建具。
【請求項３】
ローラは、適度の弾力性を有する合成樹脂製とされてなることを特徴とする請求項１記載の引戸建具。
【請求項４】
ローラは、上部が円錐台状とされてなることを特徴とする請求項１記載の引戸建具。
【発明の詳細な説明】
【０００１】
【発明の属する技術分野】
本発明は引戸建具に関する。さらに詳しくは、がたつきが防止されてなる引戸建具に関する。
【０００２】
【従来の技術】
従来より、住宅においては部屋を外界から仕切るために引戸建具が用いられている。この引戸建具は、よく知られているように、鴨居に設けられた溝に上端部が嵌め込まれ、敷居に設けられたレールに下端部が嵌め込まれた構成とされている。
【０００３】
しかるに、この引戸建具Ｔ’の鴨居の溝Ｍへの嵌め込みは、引戸建具Ｔ’の円滑な開閉がなし得るよう、図４に示すように、ある程度のクリアランスが設けられている。そのため、引戸建具Ｔ’の開閉時、玄関ドアやインテリアドアの開閉に伴う圧力変動などにより、引戸建具Ｔ’が横揺れして引戸建具Ｔ’の上端部が鴨居の溝側面Ｆに接触して異音が発生し、居住性の悪化を招来している。
【０００４】
かかる問題に対処すべく、図５に示すようながたつき防止機能を備えた引戸建具Ｔ’’が提案されている。すなわち、図５に示すように、引戸建具Ｔ’’の上端部両側にがたつき防止部材１１を配するとともに、がたつき防止部材１１を引戸建具Ｔ’’の上端部内部に設けたバネ１２により外方に付勢し、がたつき防止部材１１を鴨居の溝側面Ｆに接触させ、それにより引戸建具Ｔ’’のがたつきを防止するようにしてなるものが提案されている。
【０００５】
しかしながら、前記提案にかかる引戸建具Ｔ’’においては、がたつき防止部材１１を鴨居の溝側面Ｆに接触させているため、その摩擦抵抗により開けにくくまた閉めにくいといった別の問題が生じている。
【０００６】
【発明が解決しようとする課題】
本発明はかかる従来技術の課題に鑑みなされたものであって、がたつき防止がなされしかも開閉もスムーズになし得る引戸建具を提供することを目的としている。
【０００７】
【課題を解決するための手段】
本発明の引戸建具は、上端部に鴨居の溝側面と接触するローラを有するがたつき防止機構を備えてなることを特徴とする。
【０００８】
本発明の引戸建具におけるがたつき防止機構は、具体的には、軸と、軸に回転可能に装着されたローラと、軸下端部を支持する下部軸受部を有する下部部材と、軸上端部を支持する上部軸受部を有するカバー部材と、を備えてなるものとされる。
【０００９】
本発明の引戸建具においては、ローラは、適度の弾力性を有する合成樹脂製とされてなるのが好ましい。
【００１０】
また、本発明の引戸建具においては、ローラは、上部が円錐台状とされてなるのが好ましい。
【００１１】
【作用】
本発明の引戸建具は、前記の如く構成されているので、引戸建具の円滑な開閉をなし得ながらそのがたつきが防止される。
【００１２】
【発明の実施の形態】
以下、添付図面を参照しながら本発明を実施形態に基づいて説明するが、本発明はかかる実施形態のみに限定されるものではない。
【００１３】
本発明の一実施形態に係る引戸建具の要部を図１に示す。
【００１４】
引戸建具Ｔは、図１に示すように、引戸建具Ｔの上端部両側にローラ２を有するがたつき防止機構Ｋを配し、そのローラ２を鴨居の溝側面Ｆに接触させてなるものである。なお、理解を容易にするために、図示例においてはローラ２と溝側面Ｆとには隙間が設けられているが、実際にはローラ２は溝側面Ｆと接触している。
【００１５】
がたつき防止機構Ｋは、図２に示すように、軸１と、軸１に回転可能に装着されたローラ２と、軸下端部１ａを回転不自在に支持する下部軸受部３ａを有する下部部材３と、軸上端部１ｂを回転不自在に支持する上部軸受部４ａを有するカバー部材４と、を備えてなるものとされる。なお、理解を容易にするために、図示例においては軸端部１ａ，１ｂと軸受部３ａ，４ａとには隙間が設けられているが、実際には隙間は存在しない。
【００１６】
ローラ２は、例えば合成樹脂製とされ、その形態は円筒体とされてもよいが、図３に示すように、上部が円錐台状とされるのが、引戸建具Ｔの鴨居の溝Ｍへの嵌め込みが円滑になし得る点から好ましい。また、合成樹脂は適度の弾力性を有するのが異音の防止および引戸建具Ｋの鴨居の溝Ｍへの嵌め込みが容易となる点から好ましい。
【００１７】
下部部材３は袖付Ｕ字状体とされ、軸下端部１ａに対応する位置には下部軸受部３ａとなる凹部が形成されている。また、その幅はがたつき防止機構Ｋが装着される引戸建具Ｔの幅と同一とされるか、あるいは若干狭くされている。
【００１８】
カバー部材４は、下部部材３の袖部３ｂを支持できる長さの長方形状平板とされ、軸上端部１ｂに対応する位置には上部軸受部４ａとなる凹部が形成されている。また、その幅はがたつき防止機構Ｋが装着される引戸建具Ｔの幅と同一とされるか、あるいは若干狭くされている。
【００１９】
かかる構成とされたがたつき防止機構Ｋの組立は、例えば、下部部材３の凹部に軸下端部１ａを差し込んだ状態でカバー部材４の凹部に軸上端部１ｂを差し込み、ついで下部部材３の袖部３ｂをカバー部材４に当接させてその袖部３ｂをカバー部材４にビス留めすることによりなされる。この場合、ローラ２のカバー部材４および下部部材３からの突出量は引戸建具Ｔが鴨居の溝Ｍに嵌め込み可能でかつがたつき防止が図れるよう調整されている。
【００２０】
そして、このようにして組み立てられたがたつき防止機構Ｋは、引戸建具Ｔの上端部にがたつき防止機構Ｋに対応させて設けられた段付切欠き部に、ビス留めあるいは接着剤留めにより装着される。
【００２１】
このように、本実施形態の引戸建具Ｋにおいては、上端部にがたつき防止機構Ｋを設けそのローラ２を鴨居の溝側面Ｆに接触させるようにしているので、引戸建具Ｋの円滑な開閉を確保しながら引戸建具Ｋのがたつきが防止される。
【００２２】
以上、本発明を実施形態に基づいて説明してきたが、本発明はかかる実施形態のみに限定されるものではなく、種々改変が可能である。例えば、実施形態では２個のローラ２が並列配置されているが、ローラを大径のものとし、その両側部を引戸建具Ｔの両側から突出させるようにしてもよい。
【００２３】
【発明の効果】
以上詳述したように、本発明の引戸建具によれば、引戸建具の円滑な開閉をなし得ながらそのがたつきが防止されるという優れた効果が得られる。
【図面の簡単な説明】
【図１】本発明の一実施形態に係る引戸建具の要部概略図である。
【図２】同引戸建具に用いられるがたつき防止機構の概略図である。
【図３】同がたつき防止機構に用いられるローラの一例の概略図である。
【図４】引戸建具においてがたつきが生じることを示す説明図である。
【図５】従来のがたつき防止機構の概略図である。
【符号の説明】
１      軸
２      ローラ
３      下部部材
３ａ    下部軸受部
４      カバー部材
４ａ    上部軸受部
Ｋ      がたつき防止機構
Ｔ      引戸建具
Ｆ      溝側面
Ｍ      溝
【図１】
2005060937.tif 000003
【図２】
2005060937.tif 000004
【図３】
2005060937.tif 000005
【図４】
2005060937.tif 000006
【図５】
2005060937.tif 000007